(57)【要約】【課題】  表示する図柄列数よりも少ない数のドラムとアクチュエータで構成することにより、コストダウンと省エネルギー化を図り、制御の簡素化を図ることも可能な遊技機用ドラム式表示装置を提供する。【解決手段】  第１ドラム２１Ａは、左列２０Ｌと中列２０Ｃの図柄が外周面に配置された第１幅広ドラムとして構成されている。第２ドラム２１Ｂは、右列２０Ｒの図柄が外周面に配置された第２幅狭ドラムとして構成されている。第１幅広ドラム２１Ａは、左列２０Ｌ、中列２０Ｃの２列の図柄を同時に変動表示及び停止表示することのできるドラム用モータ２２Ａで駆動されて軸線Ｏ周りに回転する。第２幅狭ドラム２１Ｂは、右列２０Ｒの図柄を変動表示及び停止表示することのできるドラム用モータ２２Ｂで駆動されて軸線Ｏ周りに回転する。【選択図】  図２
2008253301.tif 000002
【特許請求の範囲】
【請求項１】
遊技領域に配置された複数の筒状のドラムが共通軸線周りで回転してその外周面に配置された複数の図柄を変動表示し、軸線方向に沿って所定数の図柄列を停止表示することにより、所定条件の成立に基づく内部抽選の結果を表示する遊技機用ドラム式表示装置であって、
前記複数のドラムのうち少なくともいずれかのものは、複数の図柄列に相当する図柄が配置された幅広ドラムで構成されるとともに、
その幅広ドラムを回転駆動するための駆動手段を備え、
前記幅広ドラムの複数の図柄列は、前記駆動手段により同時に変動表示するとともに同時に停止表示することを特徴とする遊技機用ドラム式表示装置。
【請求項２】
遊技領域に配置された複数の筒状のドラムが共通軸線周りで回転してその外周面に配置された複数の図柄を変動表示し、軸線方向に沿って３列の図柄を停止表示することにより、所定条件の成立に基づく内部抽選の結果を表示する遊技機用ドラム式表示装置であって、
前記複数のドラムは２個で構成されそのうち少なくとも一方のものは、２列又は３列に相当する図柄が配置された幅広ドラムで構成されるとともに、
その幅広ドラムを回転駆動するための駆動手段を備え、
前記幅広ドラムの２列又は３列の図柄は、前記駆動手段により同時に変動表示するとともに同時に停止表示することを特徴とする遊技機用ドラム式表示装置。
【請求項３】
前記２個のドラムは、３列のうちの左列と中列の図柄が配置された第１幅広ドラムと、右列の図柄が配置された第２幅狭ドラムとで構成されている請求項２に記載の遊技機用ドラム式表示装置。
【請求項４】
前記２個のドラムは、３列のうちの左列と右列の図柄が配置された第１幅広ドラムと、中列の図柄が配置された第２幅狭ドラムとで構成されるとともに、
前記第１幅広ドラムと第２幅狭ドラムとは、それらの径を異ならせることにより前記共通軸線に対して同芯状に重ね合わせて配置されている請求項２に記載の遊技機用ドラム式表示装置。
【請求項５】
前記２個のドラムは、３列のうちの左列と中列の図柄が配置された第１幅広ドラムと、中列と右列の図柄が配置された第２幅広ドラムとで構成されるとともに、
前記第１幅広ドラムと第２幅広ドラムとは、それらの径を異ならせることにより前記共通軸線に対して中列を同芯状に重ね合わせて配置され、
前記第１幅広ドラムと第２幅広ドラムとのうち外側に位置するドラムは、中列の図柄が配置された図柄部分以外の非図柄部分が透光性を有し、その非図柄部分から内側に位置するドラムの中列の図柄を目視可能である請求項２に記載の遊技機用ドラム式表示装置。
【請求項６】
前記２個のドラムは、左列、中列及び右列の３列の図柄が配置された第１幅広ドラムと、前記３列の図柄が配置された第２幅広ドラムとで構成されるとともに、
前記第１幅広ドラムと第２幅広ドラムとは、それらの径を異ならせることにより前記共通軸線に対して前記３列をそれぞれ同芯状に重ね合わせて配置され、
前記第１幅広ドラムと第２幅広ドラムとのうち外側に位置するドラムは、各列の図柄が配置された図柄部分以外の非図柄部分が透光性を有し、その非図柄部分から内側に位置するドラムの各列の図柄を目視可能である請求項２に記載の遊技機用ドラム式表示装置。
【発明の詳細な説明】
【技術分野】
【０００１】
本発明は、パチンコ遊技機、スロットマシン等の遊技機に用いられるドラム式表示装置に関する。
【背景技術】
【０００２】
パチンコ遊技機、スロットマシン等の遊技機において、所定条件の成立に基づいて実行される内部抽選の結果を表示する手段として、液晶表示装置やドラム式表示装置（リール式表示装置ともいう）が用いられている。このうちドラム式表示装置は、共通軸線を有する複数（通常３個）の筒状のドラムが共通軸線周りで回転してその外周面に配置された複数の図柄を変動表示し、軸線方向に沿って所定列（通常３列）の図柄を停止表示することにより、内部抽選の結果を表示する（遊技者に報知する）。
【０００３】
このようなドラム式表示装置では、３個のドラムの径を異ならせ一部の列を同芯状に重ね合わせて配置し、複数のドラムの図柄部分を組み合わせて一列の図柄を表示する試みもなされている（特許文献１参照）。
【０００４】
【特許文献１】特開平１０−２６３１５３号公報
【０００５】
特許文献１によれば、表示態様を多様化することはできるが、表示する図柄列に応じた個数のドラムとモータ（アクチュエータ）とを要することに変わりはなく、表示態様の多様化につれてコストアップや制御の複雑化を招来するおそれもある。
【発明の開示】
【発明が解決しようとする課題】
【０００６】
本発明の課題は、表示する図柄列数よりも少ない数のドラムとアクチュエータで構成することにより、コストダウンと省エネルギー化を図り、制御の簡素化を図ることも可能な遊技機用ドラム式表示装置を提供することにある。
【課題を解決するための手段及び発明の効果】
【０００７】
上記課題を解決するために、本発明の遊技機用ドラム式表示装置は、
遊技領域に配置された複数の筒状のドラムが共通軸線周りで回転してその外周面に配置された複数の図柄を変動表示し、軸線方向に沿って所定数の図柄列を停止表示することにより、所定条件の成立に基づく内部抽選の結果を表示する遊技機用ドラム式表示装置であって、
前記複数のドラムのうち少なくともいずれかのものは、複数の図柄列に相当する図柄が配置された幅広ドラムで構成されるとともに、
その幅広ドラムを回転駆動するための駆動手段を備え、
前記幅広ドラムの複数の図柄列は、前記駆動手段により同時に変動表示するとともに同時に停止表示することを特徴とする。
【０００８】
また、上記課題を解決するために、本発明の遊技機用ドラム式表示装置は、
遊技領域に配置された複数の筒状のドラムが共通軸線周りで回転してその外周面に配置された複数の図柄を変動表示し、軸線方向に沿って３列の図柄を停止表示することにより、所定条件の成立に基づく内部抽選の結果を表示する遊技機用ドラム式表示装置であって、
前記複数のドラムは２個で構成されそのうち少なくとも一方のものは、２列又は３列に相当する図柄が配置された幅広ドラムで構成されるとともに、
その幅広ドラムを回転駆動するための駆動手段を備え、
前記幅広ドラムの２列又は３列の図柄は、前記駆動手段により同時に変動表示するとともに同時に停止表示することを特徴とする。
【０００９】
これらの遊技機用ドラム式表示装置によれば、表示する図柄列数（例えば３列）よりも少ない数（例えば２個）のドラムと駆動手段（アクチュエータ）で構成することができ、コストダウンと省エネルギー化を図ることができる。また、従来よりドラムとアクチュエータの数を減らすことにより、リーチ表示等の演出表示を可能としつつ制御の簡素化（プログラムの簡略化）を図ることも可能となる。なお、このような遊技機用ドラム式表示装置はパチンコ遊技機、スロットマシン等の遊技機に用いることができる。
【００１０】
具体的には、２個のドラムは、３列のうちの左列と中列の図柄が配置された第１幅広ドラムと、右列の図柄が配置された第２幅狭ドラムとで構成することができる。これによって最も簡素な構成とすることができ、コストダウンと省エネルギー化及び制御の簡素化を図ることができる。
【００１１】
異なる他の態様として、２個のドラムは、３列のうちの左列と右列の図柄が配置された第１幅広ドラムと、中列の図柄が配置された第２幅狭ドラムとで構成されるとともに、
第１幅広ドラムと第２幅狭ドラムとは、それらの径を異ならせることにより共通軸線に対して同芯状に重ね合わせて配置することができる。
【００１２】
これによっても簡素な構成を実現することができ、コストダウンと省エネルギー化及び制御の簡素化を図ることができる。また、第１幅広ドラムに左列と右列の図柄が配置されているので、現在一般的に行われているように、変動表示状態から左列と右列を停止表示させてリーチ状態を演出表示させた後、中列を停止表示させて大当たりを告知するといった表示形態も可能である。
【００１３】
さらに異なる他の態様として、２個のドラムは、３列のうちの左列と中列の図柄が配置された第１幅広ドラムと、中列と右列の図柄が配置された第２幅広ドラムとで構成されるとともに、
第１幅広ドラムと第２幅広ドラムとは、それらの径を異ならせることにより共通軸線に対して中列を同芯状に重ね合わせて配置され、
第１幅広ドラムと第２幅広ドラムとのうち外側に位置するドラムは、中列の図柄が配置された図柄部分以外の非図柄部分が透光性を有し、その非図柄部分から内側に位置するドラムの中列の図柄を目視可能とすることができる。
【００１４】
このように、外側ドラムの非図柄部分を介して内側ドラムの図柄部分を視認できるので、表示態様の多様化を図ることができる。また、外側ドラムを先に停止表示した後、内側ドラムを停止表示する場合、外側ドラムの停止時にはリーチ表示でなくても内側ドラムの停止時に大当たり表示となるように図柄を配列することができる。
【００１５】
この場合、外側ドラムと内側ドラムとが一斉に変動表示中に、外側ドラムに対応する外側共用モータによって外側ドラムの２列を同時に停止表示した後、内側ドラムに対応する内側共用モータによって内側ドラムの２列を同時に停止表示する順パターンと、
それとは反対に、内側ドラムの２列を同時に停止表示した後、外側ドラムの２列を同時に停止表示する逆パターンとが選択実施可能である。
【００１６】
これによって、内側ドラムの停止表示時にリーチ状態を表示することもできる。また、順パターンと逆パターンとで大当たりの期待度を変更することもできる。
【００１７】
さらに異なる他の態様として、２個のドラムは、左列、中列及び右列の３列の図柄が配置された第１幅広ドラムと、３列の図柄が配置された第２幅広ドラムとで構成されるとともに、
第１幅広ドラムと第２幅広ドラムとは、それらの径を異ならせることにより共通軸線に対して３列をそれぞれ同芯状に重ね合わせて配置され、
第１幅広ドラムと第２幅広ドラムとのうち外側に位置するドラムは、各列の図柄が配置された図柄部分以外の非図柄部分が透光性を有し、その非図柄部分から内側に位置するドラムの各列の図柄を目視可能とすることができる。
【００１８】
このように、外側ドラムの非図柄部分を介して内側ドラムの図柄部分を視認できるので、表示態様の多様化を図ることができる。その際、３列すべてに図柄部分と非図柄部分とを設けることができるので、表示態様を大幅に多様化することができる。また、外側ドラムを先に停止表示した後、内側ドラムを停止表示する場合、外側ドラムの停止時にはリーチ表示でなくても内側ドラムの停止時に大当たり表示となるように図柄を配列することができる。
【００１９】
この場合、外側ドラムと内側ドラムとが一斉に変動表示中に、外側ドラムに対応する外側共用モータによって外側ドラムの３列を同時に停止表示した後、内側ドラムに対応する内側共用モータによって内側ドラムの３列を同時に停止表示する順パターンと、
それとは反対に、内側ドラムの３列を同時に停止表示した後、外側ドラムの３列を同時に停止表示する逆パターンとが選択実施可能である。
【００２０】
これによって、内側ドラムの停止表示時にリーチ状態を表示することもできる。また、順パターンと逆パターンとで大当たりの期待度を変更することもできる。
【発明を実施するための最良の形態】
【００２１】
（実施例１）
以下、本発明の実施の形態につき図面に示す実施例を参照して説明する。図１は、本発明に係るパチンコ遊技機の一例を示す正面模式図、図２はドラム式表示装置の第１例を示す斜視図及び正面断面図である。図１に示すパチンコ遊技機１（遊技機）は、台枠の内側に配置されてガラス扉２によって覆われる遊技盤３を有する。遊技盤３には、円形状の遊技領域３ａが形成されている。遊技領域３ａの下方には、玉供給皿４が設けられている。玉供給皿４に準備された玉（遊技球；遊技媒体）は、発射ハンドル５によって遊技領域３ａに向けて発射される。遊技領域３ａには釘３ｂが多数立設されているので、レール（図示省略）を通じて遊技盤３の遊技領域３ａに達した玉は、それらの釘３ｂに弾かれながら遊技領域３ａを落下する。なお、１０２はスピーカ、１０３は装飾ランプ類を示す（図５参照）。
【００２２】
遊技領域３ａの中央付近には、所定条件の成立に基づいて実行される抽選処理の結果を表示して遊技者に報知するためのドラム式表示装置（以下、単に表示装置ともいう）２０が配置されている。表示装置２０の下方には、開閉する一対の回動翼片１２ａ，１２ａを有する電動チューリップ（以下、電チューともいう）１２（始動入賞装置；可変入賞装置；スタートチャッカー）が配置されている。その電チュー１２の下方には、電チュー１２への入賞に基づいて実行される大当たり抽選において大当たりしたときに開放する大入賞装置１３（可変入賞装置；アタッカー）が設けられている。また、表示装置２０の左方には、玉が通過したときスタートチャッカー１２を所定の時間及び回数（例えば０．５秒間で１回）だけ開放するための通過ゲート１１（スルーチャッカー）が配置されている。なお、符号１４は玉を回収するための玉排出口を示す。
【００２３】
図２に示すように、表示装置２０には、透明樹脂材料のように透光性を有する複数（ここでは２個）の円筒状の第１ドラム２１Ａと第２ドラム２１Ｂとが、遊技盤３（図１参照）に平行状で左右方向に延びる軸線Ｏに沿って一列状に配置されている。
【００２４】
ここで、２個のドラムのうち第１ドラム２１Ａは、各々複数の図柄（例えば、アラビア数字「７」の有無；図３参照）からなる３列の図柄列２０Ｌ，２０Ｃ，２０Ｒのうち左列２０Ｌと中列２０Ｃの図柄が外周面に配置された第１幅広ドラムとして構成されている。一方、第２ドラム２１Ｂは、右列２０Ｒの図柄が外周面に配置された第２幅狭ドラムとして構成されている。したがって、第１幅広ドラム２１Ａは、左列２０Ｌ、中列２０Ｃの２列の図柄を同時に変動表示及び停止表示することのできる共用アクチュエータとしてのステッピングモータ（以下、ドラム用モータともいう）２２Ａで駆動されて軸線Ｏ周りに回転する。一方、第２幅狭ドラム２１Ｂは、右列２０Ｒの図柄を変動表示及び停止表示することのできる単独アクチュエータとしてのステッピングモータ（以下、ドラム用モータともいう）２２Ｂで駆動されて軸線Ｏ周りに回転する。
【００２５】
図１に戻り、表示装置２０には、３列２０Ｌ，２０Ｃ，２０Ｒの図柄（例えば、アラビア数字「７」の有無）を上下２段又は３段に表示して遊技者に抽選結果を報知するための表示窓２０ａ（図柄表示領域）が形成されている。これによって、２個のドラム２１Ａ，２１Ｂが、ドラム用モータ２２Ａ，２２Ｂにより軸線Ｏ周りで各々回転して複数の図柄を変動表示した後、所定の図柄を表示窓２０ａに停止表示することにより内部抽選結果（当否）を報知する。なお、Ｌ１〜Ｌ５は表示窓２０ａにおける当否判定の有効ラインを示し、上方水平線Ｌ１、中央水平線Ｌ２、下方水平線Ｌ３、斜め右上がり線Ｌ４、斜め右下がり線Ｌ５のいずれかの有効ラインにアラビア数字「７」が３つ揃うと大当たり、２つ揃うとリーチとなる。また、有効ラインＬ１〜Ｌ５のうちいずれか１つの有効ライン上でリーチとなったときにシングルリ−チ、２つ以上の有効ライン上でリーチとなったときにダブルリーチという。
【００２６】
ドラム用モータ２２Ａ，２２Ｂはそれぞれ表示装置２０の枠体に保持されたドラム用ステー２５に固定されている。また、ドラム用ステー２５には、白色ＬＥＤ等のドラム用バックライト２４Ｌ，２４Ｃ，２４Ｒがそれぞれ固定され、これらのドラム用バックライト２４Ｌ，２４Ｃ，２４Ｒは、例えば透光性で乳白色のケース体２４ａ，２４ｂで覆われている。ドラム２１Ａ，２１Ｂの外周面の図柄とドラム用バックライト２４Ｌ，２４Ｃ，２４Ｒとの間にケース体２４ａ，２４ｂが位置することにより、遊技者は、表示窓２０ａに表示されかつ内側から照明された図柄をはっきりと認識できる。
【００２７】
各ドラム用モータ２２Ａ，２２Ｂは、周知技術のステッピングモータ（例えば特開２００１−５８０２６号公報や特開２００４−２５４９７４号公報に開示されているステッピングモータ）を採用しており、各ドラム２１Ａ，２１Ｂを互いに独立に回転制御するために、第１及び第２の各ドラム用基準位置検出センサ２３Ａ，２３Ｂをそれぞれ内蔵している。各ドラム２１Ａ，２１Ｂには回転基準位置が設けられており、各ドラム２１Ａ，２１Ｂが１回転するうちに対応する各ドラム用基準位置検出センサ２３Ａ，２３Ｂがこの回転基準位置を検出し、検出信号を出力する。
【００２８】
図５は、パチンコ遊技機の回路ブロック図である。このパチンコ遊技機１は、主回路１２０が搭載された主制御基板１００と、アンプ／スピーカ１０２，装飾ランプ類１０３及びドラム制御基板１０４を制御する副制御回路（図示せず）が搭載された副制御基板１０１と、第１及び第２の各ドラム用基準位置検出センサ２３Ａ，２３Ｂからの検出信号を入力するとともに第１及び第２の各ドラム用モータ２２Ａ，２２Ｂ及び左，中，右の各ドラム用バックライト２４Ｌ，２４Ｃ，２４Ｒを駆動制御するドラム制御回路（図示せず）が搭載されたドラム制御基板１０４と、払出装置１０８を制御する払出制御回路（図示せず）が搭載された払出制御基板１０７と、発射装置１１０を制御する発射制御回路（図示せず）が搭載された発射制御基板１０９とを含む。また、通過ゲート１１に併設されたゲート通過検出器１１１と、電チュー１２に併設された始動入賞検出器１１２と、大入賞装置１３に併設された大入賞検出器１１３と、電チュー１２の回動翼片１２ａ，１２ａを開閉する電チューソレノイド１１５と、大入賞装置１３を開閉する大入賞ソレノイド１１６と、各基板に所定電圧を供給する電源回路部１１７とを含んで構成されている。
【００２９】
主回路１２０は、ＣＰＵ（Central Processing Unit）１２１，プログラム格納用のＲＯＭ（Read Only Memory）１２２，ワークエリアや各種カウンタ等が割り当てられるＲＡＭ（Random Access Memory）１２３，入出力インタフェースであるＩ／Ｏ（Input/Output）１２４等を備える。なお、その他の各基板も、個別にＣＰＵ（制御回路）やメモリを備える構成が一般的であるが、図５では省略している。
【００３０】
副制御基板１０１に搭載された副制御回路は、主回路１２０より入力される音声制御信号に応じてアンプ／スピーカ１０２より音声を出力させる。また、副制御回路は、主回路１２０より入力されるランプ制御信号に応じて装飾ランプ類１０３の点灯／消灯を制御する。さらに、副制御回路は、主回路１２０より入力される図柄変動信号（ドラム回転制御信号）をドラム制御基板１０４に出力する。
【００３１】
ドラム制御基板１０４に搭載されたドラム制御回路は、副制御基板１０１を介して主回路１２０より入力される図柄変動信号（ドラム回転制御信号）に応じて、第１及び第２の各ドラム２１Ａ，２１Ｂを制御するための処理を実行する。詳しくは、ドラム制御回路は、第１及び第２の各ドラム用モータ２２Ａ，２２Ｂを駆動制御する。本実施例では、２つのドラム２１Ａ，２１Ｂを回転動作させるために第１及び第２ドラム用モータ２２Ａ，２２Ｂが備えられており、各ドラム２１Ａ，２１Ｂと各ドラム用モータ２２Ａ，２２Ｂとは１対１で制御されている。
【００３２】
各ドラム２１Ａ，２１Ｂには回転基準位置が設けられており、各ドラム２１Ａ，２１Ｂが１回転するうちに対応する各ドラム用基準位置検出センサ２３Ａ，２３Ｂがこの回転基準位置を検出し、検出信号をドラム制御基板１０４に送信している。したがって、ドラム制御回路は、その検出信号を受信してから回転したステップ数に基づいて現在の各ドラム２１Ａ，２１Ｂの回転位置を特定している。また、ドラム制御回路は、各ドラム２１Ａ，２１Ｂの各図柄の位置と回転基準位置からのステップ数との関係を全て把握している。したがって、主回路１２０から入力される図柄変動信号に応じて各ドラム用モータ２２Ａ，２２Ｂを駆動制御し、所望の変動表示、停止表示を行うことができるようになっている。
【００３３】
払出制御基板１０７に搭載された払出制御回路は、主回路１２０より入力される賞球払出信号に応じて払出装置１０８を制御する。これにより、遊技者に対して所定数の賞球が払い出される。
【００３４】
発射制御基板１０９に搭載された発射制御回路は、遊技者が発射ハンドル５（図１参照）を操作することに応じて、発射ハンドル５に対応して設けられた発射装置１１０を作動させる。発射ハンドル５の操作量に応じて、玉の打出し強さ（玉の飛距離）を調節することが可能となっている。
【００３５】
ここで、図１を用いて、パチンコ遊技機１における遊技の流れ（遊技領域３ａでの遊技状態の変化）について概要を説明する。玉が通過ゲート１１に入球（ゲート通過）してゲート通過検出器１１１で検知されると、電チューソレノイド１１５の励磁により回動翼片１２ａ，１２ａが所定の時間及び回数（例えば０．５秒間で１回）にわたり開口して、電チュー１２に入賞し易くなる。
【００３６】
玉が電チュー１２に入賞して始動入賞検出器１１２で検知されると、大当たり抽選テーブルを用いた大当たり抽選（内部抽選）が行われる。そして、表示装置２０において、第１及び第２の各ドラム２１Ａ，２１Ｂ（３列２０Ｌ，２０Ｃ，２０Ｒの図柄）が同時に特別図柄を変動表示する。まず第１ドラム２１Ａが停止すると、第１ドラム２１Ａの停止位置により、ハズレ、シングルリ−チ、ダブルリーチのいずれかの状態で停止表示される。その後、第２ドラム２１Ｂが停止して、いずれかの有効ラインＬ１〜Ｌ５に３列２０Ｌ，２０Ｃ，２０Ｒの大当たり図柄（例えば「７７７」のゾロ目）が揃って確定表示（停止表示）されると、「大当たり状態（特別遊技状態）」となる。なお、有効ラインＬ１〜Ｌ５のうち複数の有効ライン上で「７」が揃えば確変図柄、いずれか１つの有効ライン上で「７」が揃えば非確変図柄がそれぞれ設定されている（図４参照）。
【００３７】
そして、大入賞ソレノイド１１６の励磁により大入賞装置１３が開放され、玉Ｂがきわめて入り易い状況をもたらす。大入賞装置１３の開放は、大入賞検出器１１３による所定数（例えば１０個）の入賞検知又は所定時間（例えば２５秒間）の経過を１ラウンドとして所定ラウンド回数（例えば最高１５回）まで繰り返されるので、このような大当たり状態の間に遊技者は多数の賞球を得ることができる。
【００３８】
（実施例２）
次に、ドラム式表示装置の第２例を図６〜図８に示す。図６に示すドラム式表示装置（以下、単に表示装置ともいう）２２０において、第１ドラム２２１Ａは、左列２０Ｌと右列２０Ｒの図柄が外周面に配置された第１幅広ドラムとして構成されている（図７参照）。一方、第２ドラム２２１Ｂは、中列２０Ｃの図柄が外周面に配置された第２幅狭ドラムとして構成されている（図７参照）。また、第１幅広ドラム２２１Ａの径が第２幅狭ドラム２２１Ｂの径よりも大とすることにより共通軸線Ｏに対して同芯状に重ね合わせて配置されている。
【００３９】
したがって、第１幅広ドラム２２１Ａは、左列２０Ｌ、右列２０Ｒの２列の図柄を同時に変動表示及び停止表示することのできる共用アクチュエータとしてのステッピングモータ（以下、ドラム用モータともいう）２２２Ａで駆動されて軸線Ｏ周りに回転する。一方、第２幅狭ドラム２２１Ｂは、中列２０Ｃの図柄を変動表示及び停止表示することのできる単独アクチュエータとしてのステッピングモータ（以下、ドラム用モータともいう）２２２Ｂで駆動されて軸線Ｏ周りに回転する。
【００４０】
そして、表示装置２２０において、第１及び第２の各ドラム２２１Ａ，２２１Ｂ（３列２０Ｌ，２０Ｃ，２０Ｒの図柄）が同時に特別図柄を変動表示する。まず第１ドラム２２１Ａが停止すると、第１ドラム２２１Ａの停止位置により、ハズレ、シングルリ−チ、ダブルリーチのいずれかの状態で停止表示される。その後、第２ドラム２２１Ｂが停止して、いずれかの有効ラインＬ１〜Ｌ５に３列２０Ｌ，２０Ｃ，２０Ｒの大当たり図柄（例えば「７７７」のゾロ目）が揃って確定表示（停止表示）されると、「大当たり状態（特別遊技状態）」となる。なお、有効ラインＬ１〜Ｌ５のうち複数の有効ライン上で「７」が揃えば確変図柄、いずれか１つの有効ライン上で「７」が揃えば非確変図柄がそれぞれ設定されている（図８参照）。
【００４１】
（実施例３）
次に、ドラム式表示装置の第３例を図９〜図１２示す。図９に示すドラム式表示装置（以下、単に表示装置ともいう）３２０において、第１ドラム３２１Ａは、左列２０Ｌと中列２０ＣＡの図柄が外周面に配置された第１幅広ドラムとして構成されている（図１０参照）。一方、第２ドラム３２１Ｂは、中列２０ＣＢと右列２０Ｒの図柄が外周面に配置された第２幅広ドラムとして構成されている（図１０参照）。また、第１幅広ドラム３２１Ａの径が第２幅広ドラム３２１Ｂの径よりも大とすることにより共通軸線Ｏに対して同芯状に重ね合わせて配置されている。さらに、外側ドラム３２１Ａ（第１幅広ドラム）は、中列２０ＣＡの図柄が配置された図柄部分２０Ｆ以外の非図柄部分２０Ｎが透光性を有し、その非図柄部分２０Ｎから内側ドラム３２１Ｂ（第２幅広ドラム）の中列２０ＣＢの図柄を目視可能である（図１０参照）。
【００４２】
したがって、第１幅広ドラム３２１Ａは、左列２０Ｌ、中列２０ＣＡの２列の図柄を同時に変動表示及び停止表示することのできる共用アクチュエータとしてのステッピングモータ（以下、ドラム用モータともいう）３２２Ａで駆動されて軸線Ｏ周りに回転する。一方、第２幅広ドラム３２１Ｂは、中列２０ＣＢ、右列２０Ｒの図柄を変動表示及び停止表示することのできる共用アクチュエータとしてのステッピングモータ（以下、ドラム用モータともいう）３２２Ｂで駆動されて軸線Ｏ周りに回転する。
【００４３】
そして、表示装置３２０において、第１及び第２の各ドラム３２１Ａ，３２１Ｂ（３列２０Ｌ，２０Ｃ，２０Ｒの図柄）が同時に特別図柄を変動表示する。まず外側ドラム３２１Ａが停止すると、外側ドラム３２１Ａの停止位置により、ハズレ、シングルリ−チ、ダブルリーチのいずれかの状態で停止表示される。その後、内側ドラム３２１Ｂが停止して、いずれかの有効ラインＬ１〜Ｌ５に３列２０Ｌ，２０Ｃ，２０Ｒの大当たり図柄（例えば「７７７」のゾロ目）が揃って確定表示（停止表示）されると、「大当たり状態（特別遊技状態）」となる。なお、有効ラインＬ１〜Ｌ５のうち複数の有効ライン上で「７」が揃えば確変図柄、いずれか１つの有効ライン上で「７」が揃えば非確変図柄がそれぞれ設定されている（図１１参照）。また、外側ドラム３２１Ａを先に停止表示した後、内側ドラム３２１Ｂを停止表示する場合、外側ドラム３２１Ａの停止時にはリーチ表示でなくても（図１２（ａ）参照）、内側ドラム３２１Ｂの停止時に大当たり表示となるように図柄を配列することができる（図１２（ｂ）参照）。
【００４４】
さらに、（１）に示す順パターンと、（２）に示す逆パターンとを選択実施可能としてある。
（１）外側ドラム３２１Ａと内側ドラム３２１Ｂとが一斉に変動表示中に、外側ドラム３２１Ａに対応する外側共用モータ３２２Ａによって外側ドラム３２１Ａの２列である左列２０Ｌ、中列２０ＣＡを同時に停止表示した後、内側ドラム３２１Ｂに対応する内側共用モータ３２２Ｂによって内側ドラム３２１Ｂの２列である中列２０ＣＢ、右列２０Ｒを同時に停止表示する順パターン；
（２）それとは反対に、内側ドラム３２１Ｂの２列である中列２０ＣＢ、右列２０Ｒを同時に停止表示した後、外側ドラム３２１Ａの２列である左列２０Ｌ、中列２０ＣＡを同時に停止表示する逆パターン。
【００４５】
これによって、内側ドラム内側ドラム３２１Ｂの停止表示時にリーチ状態を表示することもできる。また、順パターンと逆パターンとで大当たりの期待度を変更することもできる。
【００４６】
（実施例４）
次に、ドラム式表示装置の第４例を図１３及び図１４に示す。図１３に示すドラム式表示装置（以下、単に表示装置ともいう）４２０において、第１ドラム４２１Ａは、左列２０ＬＡ，中列２０ＣＡ，右列２０ＲＡの図柄が外周面に配置された第１幅広ドラムとして構成されている（図１４参照）。一方、第２ドラム４２１Ｂは、左列２０ＬＢ，中列２０ＣＢ，右列２０ＲＢの図柄が外周面に配置された第２幅広ドラムとして構成されている（図１４参照）。また、第１幅広ドラム４２１Ａの径が第２幅広ドラム４２１Ｂの径よりも大とすることにより共通軸線Ｏに対して同芯状に重ね合わせて配置されている。さらに、外側ドラム４２１Ａ（第１幅広ドラム）は、左列２０ＬＡ，中列２０ＣＡ，右列２０ＲＡの図柄が配置された図柄部分２０Ｆ以外の非図柄部分２０Ｎが透光性を有し、その非図柄部分２０Ｎから内側ドラム４２１Ｂ（第２幅広ドラム）の左列２０ＬＢ，中列２０ＣＢ，右列２０ＲＢの図柄を目視可能である（図１４参照）。
【００４７】
したがって、第１幅広ドラム４２１Ａは、左列２０ＬＡ，中列２０ＣＡ，右列２０ＲＡの３列の図柄を同時に変動表示及び停止表示することのできる共用アクチュエータとしてのステッピングモータ（以下、ドラム用モータともいう）４２２Ａで駆動されて軸線Ｏ周りに回転する。一方、第２幅広ドラム４２１Ｂは、左列２０ＬＢ，中列２０ＣＢ，右列２０ＲＢの３列の図柄を変動表示及び停止表示することのできる共用アクチュエータとしてのステッピングモータ（以下、ドラム用モータともいう）４２２Ｂで駆動されて軸線Ｏ周りに回転する。なお、外側ドラム４２１Ａ及び内側ドラム４２１Ｂは長くなるので、こじれ等を生じないようにモータ４２２Ｂ，４２２Ｂから遠い側をローラＲ等で指示している。
【００４８】
そして、表示装置４２０において、第１及び第２の各ドラム４２１Ａ，４２１Ｂ（３列２０Ｌ，２０Ｃ，２０Ｒの図柄）が同時に特別図柄を変動表示する。まず外側ドラム４２１Ａが停止すると、外側ドラム４２１Ａの停止位置により、ハズレ、シングルリ−チ、ダブルリーチのいずれかの状態で停止表示される。その後、内側ドラム４２１Ｂが停止して、いずれかの有効ラインＬ１〜Ｌ５に３列２０Ｌ，２０Ｃ，２０Ｒの大当たり図柄（例えば「７７７」のゾロ目）が揃って確定表示（停止表示）されると、「大当たり状態（特別遊技状態）」となる。なお、有効ラインＬ１〜Ｌ５のうち複数の有効ライン上で「７」が揃えば確変図柄、いずれか１つの有効ライン上で「７」が揃えば非確変図柄をそれぞれ設定してもよい。また、外側ドラム４２１Ａを先に停止表示した後、内側ドラム４２１Ｂを停止表示する場合、外側ドラム４２１Ａの停止時にはリーチ表示でなくても内側ドラム４２１Ｂの停止時に大当たり表示となるように図柄を配列することができる。
【００４９】
以上の説明では、３列のドラムを配置するドラム式表示装置のみについて述べたが、４列以上のドラムを配置するドラム式表示装置に適用してもよい。また、本発明はスロットマシン等にも適用できる。
【図面の簡単な説明】
【００５０】
【図１】本発明に係るパチンコ遊技機の一例を示す正面模式図。
【図２】ドラム式表示装置の第１例を示す斜視図及び正面断面図。
【図３】ドラム外周面の図柄配列を示す展開図。
【図４】表示窓における確変図柄及び非確変図柄の表示例を示す図。
【図５】図１のパチンコ遊技機の回路ブロック図。
【図６】ドラム式表示装置の第２例を示す斜視図及び正面断面図。
【図７】ドラム外周面の図柄配列を示す展開図。
【図８】表示窓における確変図柄及び非確変図柄の表示例を示す図。
【図９】ドラム式表示装置の第３例を示す斜視図及び正面断面図。
【図１０】ドラム外周面の図柄配列を示す展開図。
【図１１】表示窓における確変図柄及び非確変図柄の表示例を示す図。
【図１２】ドラムの作動例を示す斜視図。
【図１３】ドラム式表示装置の第４例を示す斜視図及び正面断面図。
【図１４】ドラム外周面の図柄配列を示す展開図。
【符号の説明】
【００５１】
１        パチンコ遊技機（遊技機）
３ａ      遊技領域
２０      ドラム式表示装置
２０ａ    表示窓（図柄表示領域）
２１Ａ，２２１Ａ  第１ドラム（幅広ドラム）
２１Ｂ，２２１Ｂ  第２ドラム（幅狭ドラム）
３２１Ａ，４２１Ａ  第１ドラム（幅広ドラム）
３２１Ｂ，４２１Ｂ  第２ドラム（幅広ドラム）
２２Ａ，２２２Ａ  第１ドラム用モータ（共用モータ；ステッピングモータ）
２２Ｂ，２２２Ｂ  第２ドラム用モータ（単独モータ；ステッピングモータ）
３２２Ａ，４２２Ａ  第１ドラム用モータ（外側共用モータ；ステッピングモータ）
３２２Ｂ，４２２Ｂ  第２ドラム用モータ（内側共用モータ；ステッピングモータ）
【図１】
2008253301.tif 000003
【図２】
2008253301.tif 000004
【図３】
2008253301.tif 000005
【図４】
2008253301.tif 000006
【図５】
2008253301.tif 000007
【図６】
2008253301.tif 000008
【図７】
2008253301.tif 000009
【図８】
2008253301.tif 000010
【図９】
2008253301.tif 000011
【図１０】
2008253301.tif 000012
【図１１】
2008253301.tif 000013
【図１２】
2008253301.tif 000014
【図１３】
2008253301.tif 000015
【図１４】
2008253301.tif 000016